(57)【要約】【課題】内部に金属系の異物が入り込むことを回避し、隣り合う端子金具間の短絡を回避することができる。【解決手段】コネクタ１は、中継コネクタ１０と機器コネクタ２０とを備える。中継コネクタ１０は、フード部１２を備える中継ハウジング１１と、フード部１２の内部に配置される雄端子金具１８とを備える。機器ハウジング２１は、雌端子金具３２と、雌端子金具３２を内部に収容するキャビティ２７を有する機器ハウジング２１とを備える。機器ハウジング２１は、端子挿入面２４Ｂに端子挿入口２６Ｐを有するとともに、端子挿入面２４Ｂと対向する嵌合面２２Ｆに端子受入口２３Ｐを有し、端子挿入面２４Ｂが外部に露出された状態でフード部１２に収容可能となっている。機器コネクタ２０は、端子挿入口２６Ｐを塞いで配置される端子用磁石５１と、フード部１２の開口縁１６と機器ハウジング２１との隙間を塞いで配置されるハウジング用磁石４１とを備える。【選択図】図９
2018010835.tif 000002
【特許請求の範囲】
【請求項１】
一端に開口部を有するフード部を備える第１ハウジングと、前記フード部の内部に配置される第１端子金具とを備える第１コネクタと、
前記第１端子金具と接続される第２端子金具と、前記第２端子金具を内部に収容するキャビティを有し、前記第１ハウジングと嵌合される第２ハウジングとを備える第２コネクタと、を備え、
前記第２ハウジングが、一面に前記キャビティと連通する端子挿入口を有するとともに、前記一面と対向する他面に前記キャビティと連通して前記第１端子金具を受け入れ可能な端子受入口を有し、前記一面が外部に露出された状態で前記フード部に収容可能となっており、
前記第２コネクタが、前記端子挿入口を塞いで配置される第１磁石と、前記開口部の開口縁と前記第２ハウジングとの隙間を塞いで配置される第２磁石とを備えるコネクタ。
【請求項２】
前記フード部が、前記他面と対向する底壁部と、前記底壁部から延びる周壁部とを備え、
前記第２ハウジングが、前記一面と前記他面とを繋ぐ外周面を備え、
前記周壁部が、前記外周面を全周にわたって覆って配置されている、請求項１に記載のコネクタ。
【請求項３】
前記第２コネクタが、前記第２ハウジングの前記一面に装着されることで前記第２ハウジングからの前記第２端子金具の抜け止めを行うとともに、前記第１磁石および前記第２磁石を保持するバックリテーナを備える、請求項１または請求項２に記載のコネクタ。
【発明の詳細な説明】
【技術分野】
【０００１】
本明細書によって開示される技術は、コネクタに関する。
【背景技術】
【０００２】
嵌合部を有し、内部に雌端子金具を保持する一のハウジングと、嵌合部を収容可能な収容部を有し、収容部の奥端から雄端子金具が突出する他のハウジングとを備えるコネクタが知られている。両ハウジングが嵌合すると、雌端子金具と雄端子金具とが電気的に接続される。
【０００３】
このようなコネクタは、金属粉や金属片などの金属系の異物が浮遊する潤滑油などの油中で使用されることがある。金属系の異物がコネクタの内部に侵入すると、隣接する端子金具間を短絡させるおそれがある。短絡を防止するため、一のハウジングと他のハウジングとの嵌合面に凹凸形状を配することで、嵌合面を入り組んだ状態とするとともに、一の端子金具から嵌合面に沿って他の端子金具に至る経路を長くする構成が提案されている（特許文献１参照）。
【先行技術文献】
【特許文献】
【０００４】
【特許文献１】特開２０１４−１７０８５号公報
【発明の概要】
【発明が解決しようとする課題】
【０００５】
上記の構成のコネクタによれば、侵入した異物による短絡を防ぐことができるが、異物の侵入自体を防止することはできない。そのため、改善の余地が残されている。
【課題を解決するための手段】
【０００６】
本明細書によって開示されるコネクタは、一端に開口部を有するフード部を備える第１ハウジングと、前記フード部の内部に配置される第１端子金具とを備える第１コネクタと、前記第１端子金具と接続される第２端子金具と、前記第２端子金具を内部に収容するキャビティを有し、前記第１ハウジングと嵌合される第２ハウジングとを備える第２コネクタと、を備え、前記第２ハウジングが、一面に前記キャビティと連通する端子挿入口を有するとともに、前記一面と対向する他面に前記キャビティと連通して前記第１端子金具を受け入れ可能な端子受入口を有し、前記一面が外部に露出された状態で前記フード部に収容可能となっており、前記第２コネクタが、前記端子挿入口を塞いで配置される第１磁石と、前記開口部の開口縁と前記第２ハウジングとの隙間を塞いで配置される第２磁石とを備える。
【０００７】
上記の構成によれば、端子挿入口、および、フード部の開口縁と第２ハウジングとの隙間から、コネクタの内部に入り込もうとした金属系の異物が、第１磁石および第２磁石に引き寄せられ、付着する。これにより、コネクタの内部に金属系の異物が侵入し、この異物によって隣り合う端子金具間が短絡することを回避できる。
【０００８】
上記の構成において、前記フード部が、前記他面と対向する底壁部と、前記底壁部から延びる周壁部とを備え、前記第２ハウジングが、前記一面と前記他面とを繋ぐ外周面を備え、前記周壁部が、前記外周面を全周にわたって覆って配置されていても構わない。
【０００９】
このような構成によれば、コネクタの内部への金属系の異物の侵入の入口が、端子挿入口と、フード部の開口縁と第２ハウジングとの隙間との２とおりとなる。この２とおりの入口のうち、一方を第１磁石、他方を第２磁石で塞いでいるから、異物の侵入を確実に回避できる。
【００１０】
上記の構成において、前記第２コネクタが、前記第２ハウジングの前記一面に装着されることで前記第２ハウジングからの前記第２端子金具の抜け止めを行うとともに、前記第１磁石および前記第２磁石を保持するバックリテーナを備えていても構わない。
【００１１】
このような構成によれば、バックリテーナが、第２端子金具の抜け止めと、第１磁石及び第２磁石の保持の役割を兼ねているから、部品点数を増やさずに第１磁石及び第２磁石を保持させることができる。
【発明の効果】
【００１２】
本明細書によって開示されるコネクタによれば、内部に金属系の異物が入り込むことを回避し、隣り合う端子金具間の短絡を回避することができる。
【図面の簡単な説明】
【００１３】
【図１】実施形態の中継コネクタの正面図
【図２】図１のＡ−Ａ線断面図
【図３】実施形態の機器コネクタの背面図
【図４】図３のＢ−Ｂ線断面図
【図５】実施形態の機器ハウジングの正面図
【図６】機器ハウジングの背面図
【図７】ハウジング用磁石と端子用磁石とが組み付けられた機器ハウジングの背面図
【図８】実施形態のコネクタの背面図
【図９】図８のＣ−Ｃ線断面図
【発明を実施するための形態】
【００１４】
実施形態を、図１〜図９を参照しつつ説明する。本実施形態のコネクタ１は、自動車のオートマチックトランスミッション部において、機器を内部に収容するケース（図示せず）に固定される中継コネクタ１０と、機器に設けられ、中継コネクタ１０に嵌合する機器コネクタ２０とで構成されている。ケースの内部には、金属粉や金属片等の金属系の異物を含んだミッションオイルが循環している。
【００１５】
中継コネクタ１０は、図１および図２に示すように、合成樹脂製の中継ハウジング１１と、中継ハウジング１１に保持された複数の雄端子金具１８とを備えている。
【００１６】
中継ハウジング１１は、フード部１２を備えている。フード部１２は、図２に示すように、底壁部１３と、この底壁部１３から垂直に延び、底壁部１３とは反対側に開口部１５を有する角筒状の周壁部１４とを備えている。フード部１２の内部には、底壁部１３および周壁部１４から内側に突出する圧入部１７が配置されており、この圧入部１７は、底壁部１３と反対側の面から底壁部１３に向かって凹む圧入孔１７Ｈを有している。
【００１７】
複数の雄端子金具１８のそれぞれは、金属製であって、タブ部１９を有している。各雄端子金具１８は、図２に示すように、底壁部１３を貫通して保持され、タブ部１９がフード部１２の内部に配置されている。
【００１８】
機器コネクタ２０は、図４に示すように、複数の端子付き電線３１と、これら複数の端子付き電線３１を保持する合成樹脂製の機器ハウジング２１と、機器ハウジング２１に装着されるハウジング用磁石４１および複数の端子用磁石５１と、機器ハウジング２１に装着されるバックリテーナ６１とを備えている。
【００１９】
複数の端子付き電線３１は、図４に示すように、雌端子金具３２と、この雌端子金具３２によって圧着される電線３５およびゴム栓３６とを備えている。
【００２０】
複数の雌端子金具３２のそれぞれは、所定形状に打ち抜いた金属板材を曲げ加工して形成された部材であって、図４に示すように、雄端子金具１８のタブ部１９と接続される端子本体３３と、この端子本体３３から連なり、電線３５に圧着される電線接続部３４とを備えている。端子本体３３は、両端が開口した角筒状に構成されており、内部にタブ部１９を受け入れ可能となっている。電線接続部３４は、端子本体３３に近い部分にワイヤバレル３４Ｂ１を備え、ワイヤバレル３４Ｂ１よりも端子本体３３から離れた部分にインシュレーションバレル３４Ｂ２を備えている。
【００２１】
電線３５は、詳細には図示しないが、金属素線を螺旋状に撚り合わせてなる芯線と、この芯線を被覆する樹脂製の絶縁被覆とを有している。電線３５の端末部においては、絶縁被覆を除去することによって芯線が露出されている。露出した芯線にワイヤバレル３４Ｂ１が圧着されているとともに、絶縁被覆の端部にインシュレーションバレル３４Ｂ２が圧着されている。
【００２２】
インシュレーションバレル３４Ｂ２と電線３５との間には、図４に示すように、ゴム栓３６が介装されている。ゴム栓３６は、シリコーン製の円筒状の部材であって、その内部に電線３５が挿通されている。そして、ゴム栓３６の一端部（芯線が露出されている電線３５の端末部に近い側の端部）が、電線３５とともにインシュレーションバレル３４Ｂ２に圧着されている。
【００２３】
機器ハウジング２１は、図４に示すように、端子収容部２２と、この端子収容部２２から連なるゴム栓収容部２４と、圧入突起２９とを備えている。
【００２４】
端子収容部２２は、図４および図５に示すように、フード部１２の内部に収容される部分であって、全体として直方体のブロック状に構成されている。端子収容部２２の複数の外面のうち一面は、底壁部１３と対面する嵌合面２２Ｆとなっており、この嵌合面２２Ｆと平行な他の面が、ゴム栓導出面２２Ｂとなっている。端子収容部２２は、嵌合面２２Ｆからゴム栓導出面２２Ｂまで貫通する複数の端子収容室２３を有するとともに、嵌合面２２Ｆに開口し、端子収容室２３に連通する開口部（端子受入口２３Ｐ）を有している。端子受入口２３Ｐは、雄端子金具１８のタブ部１９を受け入れ可能となっている。
【００２５】
ゴム栓収容部２４は、端子収容部２２から連なる部分であって、図４および図６に示すように、ゴム栓導出面２２Ｂから垂直に延びる円筒状の収容筒２５の複数が、互いに密着して配されたような形状を有している。各収容筒２５の内部空間は、ゴム栓収容室２６となっている。各ゴム栓収容室２６は、複数の端子収容室２３のそれぞれと連通して、嵌合面２２Ｆとゴム栓導出面２２Ｂとに開口するキャビティ２７を構成しており、このキャビティ２７の内部に、各端子付き電線３１が収容される。ゴム栓収容部２４は、端子収容部２２とは反対側の面（端子挿入面２４Ｂ）に開口し、ゴム栓収容室２６に連通する開口部（端子挿入口２６Ｐ）を有している。
圧入突起２９は、嵌合面２２Ｆから垂直に延びるピン状の部分である。
【００２６】
端子付き電線３１は、図４に示すように、端子挿入口２６Ｐからキャビティ２７の内部に挿入され、保持される。端子収容室２３の内部に、雌端子金具３２の端子本体３３からワイヤバレル３４Ｂ１までの部分が収容され、ゴム栓収容室２６の内部に、インシュレーションバレル３４Ｂ２とゴム栓３６とが収容され、電線３５が端子挿入口２６Ｐから外部に導出されている。
【００２７】
ハウジング用磁石４１は、図４および図７に示すように、ゴム栓導出面２２Ｂの外形よりも一回り大きな外形を有する矩形板状の磁石であって、ほぼ中心位置に、一面から他面まで貫通する窓部４２を有している。窓部４２の開口縁は、ゴム栓導出面２２Ｂの外形よりも一回り小さくなっている。このハウジング用磁石４１は、窓部４２にゴム栓収容部２４を挿通させた状態で、ゴム栓導出面２２Ｂに当接して配置されている。ハウジング用磁石４１の周縁部は、ゴム栓導出面２２Ｂの外周縁よりも外側に突出している。
【００２８】
複数の端子用磁石５１のそれぞれは、図４および図７に示すように、端子挿入口２６Ｐの内径とほぼ等しい外径を有する円板状の磁石であり、中心位置に、一面から他面まで貫通する電線挿通孔５２を有している。各端子用磁石５１は、電線３５を電線挿通孔５２に挿通させた状態で、各端子挿入口２６Ｐを塞いで配置されている。
【００２９】
バックリテーナ６１は、図３および図４に示すように、ゴム栓収容部２４を端子収容部２２とは反対側から覆うように組み付けられる、全体としてトレイ状の部材であって、押さえ壁６２と、この押さえ壁６２から延びる側壁部６４と、この側壁部６４から延びるフランジ部６６とを備えている。
【００３０】
押さえ壁６２は、端子挿入面２４Ｂを覆うように配置される、矩形の板壁状の部分である。この押さえ壁６２は、電線３５を通すための複数の電線導出孔６３を有している。各電線導出孔６３は、バックリテーナ６１が機器ハウジング２１に組み付けられた状態で、各収容筒２５および各端子用磁石５１と同軸に配されており、電線挿通孔５２の内径よりも大きく、端子用磁石５１の外径よりも小さな内径を有している。
【００３１】
側壁部６４は、押さえ壁６２の外周縁から、押さえ壁６２に対して垂直に立ち上がる壁部であって、ゴム栓収容部２４を囲んで配置される。側壁部６４は、複数のロック孔６５を有している。ゴム栓収容部２４の外周面には複数のロック突起２８が配置されており、各ロック突起２８が各ロック孔６５に嵌まり込むことでバックリテーナ６１が機器ハウジング２１に保持される。
【００３２】
フランジ部６６は、側壁部６４の延出端（押さえ壁６２とは反対側の端縁）から、外側に向かって、押さえ壁６２と平行に延びる鍔状の部分であって、ハウジング用磁石４１に当接して配置される。
【００３３】
バックリテーナ６１が機器ハウジング２１に組み付けられた状態では、図４に示すように、押さえ壁６２が端子挿入面２４Ｂを覆うように配置されることによって、雌端子金具３２と端子用磁石５１とが抜け止め状態に保持される。電線３５は、電線導出孔６３を通して外部に導出されている。電線導出孔６３は端子用磁石５１の外径よりも小さな内径を有しているので、端子用磁石５１が電線導出孔６３を通って抜け落ちることはない。また、フランジ部６６とゴム栓導出面２２Ｂとの間でハウジング用磁石４１が挟み付けられるようになっており、これにより、ハウジング用磁石４１が抜け止め状態に保持される。
【００３４】
中継コネクタ１０と機器コネクタ２０との組み付けの際には、嵌合面２２Ｆを底壁部１３に向けた姿勢で、端子収容部２２をフード部１２の内部に進入させる。機器コネクタ２０が中継コネクタ１０に対して正規の嵌合位置に至るまで進入すると、図９に示すように、雄端子金具１８のタブ部１９が、端子受入口２３Ｐを通って雌端子金具３２の端子本体３３の内部に進入し、両端子金具１６、３２が電気的に接続される。また、圧入突起２９が圧入孔１７Ｈに圧入されることにより、両コネクタ１０、２０が嵌合状態に保持される。
【００３５】
中継コネクタ１０と機器コネクタ２０とが正規嵌合した状態では、図９に示すよう、端子収容部２２の全体がフード部１２の内部に収容され、ゴム栓収容部２４がフード部１２から外部に露出されている。すなわち、嵌合面２２Ｆがフード部１２によって覆われ、端子挿入面２４Ｂが外部に露出した状態となっている。そして、ゴム栓導出面２２Ｂとフード部１２の開口縁１６（開口部１５側の端縁；周壁部１４において底壁部１３とは反対側の端縁）との位置が揃っている。嵌合面２２Ｆは、底壁部１３に対向している。また、端子収容部２２において嵌合面２２Ｆとゴム栓導出面２２Ｂとを繋ぐ外周面（嵌合面側外周面２２Ｐ）は、機器ハウジング２１の嵌合面２２Ｆと端子挿入面２４Ｂとを繋ぐ外周面の一部を構成しており、この嵌合面側外周面２２Ｐを、周壁部１４が全周にわたって覆っている。そして、ハウジング用磁石４１は、開口縁１６とゴム栓導出面２２Ｂとに当接し、開口縁１６と端子収容部２２との隙間を塞ぐように配置される。
【００３６】
ここで、コネクタの嵌合構造として、端子収容部には、ロック突起を有するロックアームを設け、フード部には、ロック突起が嵌まり込むロック孔を設け、ロック突起がロック孔に嵌まり込んで係止することにより、２つのハウジングが嵌合状態にロックされるようにする構成が採用されることが多い。しかし、このような構成では、ロック孔が異物の侵入経路となってしまう。本実施形態では、このような構成を採用せず、機器コネクタ２０から突出する圧入突起２９が、フード部１２の内部に配置された圧入孔１７Ｈに圧入されることにより、両コネクタ１０、２０が正規嵌合状態に保持される構成となっている。そして、異物の侵入を許容する孔部を有していない周壁部１４が、機器ハウジング２１においてフード部１２に収容されている部分（端子収容部２２）の外周面（嵌合面側外周面２２Ｐ）を全周にわたって覆う構成となっている。
【００３７】
上記のような構成により、コネクタ１の内部への金属系の異物の侵入の入口は、端子挿入口２６Ｐと、フード部１２の開口縁１６と端子収容部２２との隙間との２とおりとなる。金属系の異物がコネクタ１の内部に進入し、嵌合面２２Ｆに達すると、隣り合うタブ部１９間に異物が介在することにより、短絡が生じるおそれがある。しかし、本実施形態では、端子挿入口２６Ｐを塞ぐように端子用磁石５１が配置され、開口縁１６と端子収容部２２との隙間を塞ぐようにハウジング用磁石４１が配置されているから、金属系の異物は、これらの磁石４１、５１に引き寄せられて付着する。これにより、コネクタ１内部への金属系の異物が侵入し、この異物によって隣り合う端子金具間が短絡することを回避できる。
【００３８】
以上のように本実施形態によれば、コネクタ１は、中継コネクタ１０と機器コネクタ２０とを備える。中継コネクタ１０は、一端に開口部１５を有するフード部１２を備える中継ハウジング１１と、フード部１２の内部に配置される雄端子金具１８とを備える。機器ハウジング２１は、雄端子金具１８と接続される雌端子金具３２と、雌端子金具３２を内部に収容するキャビティ２７を有する機器ハウジング２１とを備える。機器ハウジング２１は、端子挿入面２４Ｂにキャビティ２７と連通する端子挿入口２６Ｐを有するとともに、端子挿入面２４Ｂと対向する嵌合面２２Ｆにキャビティ２７と連通して雄端子金具１８を受け入れ可能な端子受入口２３Ｐを有し、端子挿入面２４Ｂが外部に露出された状態でフード部１２に収容可能となっている。機器コネクタ２０は、端子挿入口２６Ｐを塞いで配置される端子用磁石５１と、フード部１２の開口縁１６と機器ハウジング２１との隙間を塞いで配置されるハウジング用磁石４１とを備える。
【００３９】
上記の構成によれば、端子挿入口２６Ｐ、および、フード部１２の開口縁１６と機器ハウジング２１との隙間から、コネクタ１の内部に入り込もうとした金属系の異物が、端子用磁石５１およびハウジング用磁石４１に引き寄せられ、付着する。これにより、コネクタ１の内部に金属系の異物が侵入し、この異物によって隣り合う端子金具間が短絡することを回避できる。
【００４０】
また、フード部１２が、嵌合面２２Ｆと対向する底壁部１３と、底壁部１３から延びる周壁部１４とを備え、周壁部１４が、機器ハウジング２１において嵌合面２２Ｆと端子挿入面２４Ｂとを繋ぐ外周面のうち、端子収容部２２の外周面である嵌合面側外周面２２Ｐを全周にわたって覆って配置されている。
【００４１】
このような構成によれば、コネクタ１の内部への金属系の異物の侵入の入口が、端子挿入口２６Ｐと、フード部１２の開口縁１６と機器ハウジング２１との隙間との２とおりとなる。この２とおりの入口のうち、一方を端子用磁石５１、他方をハウジング用磁石４１で塞いでいるから、異物の侵入を確実に回避できる。
【００４２】
また、機器コネクタ２０が、機器ハウジング２１の端子挿入面２４Ｂに装着されることで機器ハウジング２１からの雌端子金具３２の抜け止めを行うとともに、端子用磁石５１およびハウジング用磁石４１を保持するバックリテーナ６１を備える。
【００４３】
このような構成によれば、バックリテーナ６１が、雌端子金具３２の保持と、端子用磁石５１及びハウジング用磁石４１の保持の役割を兼ねているから、部品点数を増やさずに端子用磁石５１及びハウジング用磁石４１を保持させることができる。
【００４４】
＜他の実施形態＞
本明細書によって開示される技術は上記記述及び図面によって説明した実施形態に限定されるものではなく、例えば次のような種々の態様も含まれる。
（１）上記実施形態では、バックリテーナ６１によってハウジング用磁石４１および端子用磁石５１が保持されていたが、第１磁石および第２磁石が、バックリテーナとは別体に設けられた保持部材によって保持されていても構わない。
【００４５】
（２）上記実施形態では、端子付き電線３１がゴム栓３６を備えていたが、端子付き電線がゴム栓を備えていなくても構わない。
【符号の説明】
【００４６】
１…コネクタ
１０…中継コネクタ（第１コネクタ）
１１…中継ハウジング（第１ハウジング）
１２…フード部
１３…底壁部
１４…周壁部
１５…開口部
１６…開口縁
１７…雄端子金具（第１端子金具）
２０…機器コネクタ（第２コネクタ）
２１…機器ハウジング（第２ハウジング）
２２Ｆ…嵌合面（他面）
２３…嵌合面側外周面（外周面）
２３Ｐ…端子受入口
２４Ｂ…端子挿入面（一面）
２６Ｐ…端子挿入口
２７…キャビティ
３２…第２端子金具
４１…ハウジング用磁石（第２磁石）
５１…端子用磁石（第１磁石）
６１…バックリテーナ
【図１】
2018010835.tif 000003
【図２】
2018010835.tif 000004
【図３】
2018010835.tif 000005
【図４】
2018010835.tif 000006
【図５】
2018010835.tif 000007
【図６】
2018010835.tif 000008
【図７】
2018010835.tif 000009
【図８】
2018010835.tif 000010
【図９】
2018010835.tif 000011